(57)【要約】【課題】締め操作前に商取引を確定させること、及び１客の会計終了後は即座に次の客の会計に入れるようにすることを実現する。【解決手段】電子タグリーダで読取った電子タグデータと同一のデータが電子タグデータバッファに記憶されていない場合に、電子タグデータを電子タグデータバッファに追加するとともに、この追加された電子タグデータを基に商品販売データを取得し、商品アイテムバッファに追加する。合計出力指示があると、商品アイテムバッファに記憶された商品販売データの合計データを出力するとともに電子タグリーダの読取動作を停止させる。その後、１商取引の締め指示があると、商品アイテムバッファに記憶された商品販売データに基づいて当該１商取引を締め処理するとともに商品アイテムバッファをクリアし、電子タグリーダの読取動作を再開させる。【選択図】      図５
2007233583.tif 000002
【特許請求の範囲】
【請求項１】
電子タグに記憶されたデータを読取る電子タグリーダを有し、この電子タグリーダで前記電子タグから読取った電子タグデータに基づいて当該電子タグが付された商品の販売データを処理する商品販売データ処理装置において、
複数の電子タグデータを記憶保持可能な電子タグデータ記憶手段と、
複数の商品販売データを記憶保持可能な商品アイテム記憶手段と、
前記電子タグリーダで前記電子タグから読取った電子タグデータと同一のデータが前記電子タグデータ記憶手段に記憶されているか否かを判断するデータ有無判断手段と、
このデータ有無判断手段により同一データが記憶されていないと判断されると、前記電子タグから読取った前記電子タグデータを前記電子タグデータ記憶手段に追加し、同一データが記憶されていると判断されると、前記電子タグから読取った前記電子タグデータを前記電子タグデータ記憶手段に追加しない電子タグデータ処理手段と、
前記電子タグデータ記憶手段に追加された電子タグデータを基に商品販売データを取得し前記商品アイテム記憶手段に追加する商品販売データ追加手段と、
電子タグリーダの読取動作停止を指示する電子タグリーダ停止指示手段と、
この電子タグリーダ停止指示手段による電子タグリーダ停止指示があると、前記電子タグリーダの読取動作を停止させる電子タグリーダ制御手段と、
１商取引の締めを指示する締め指示手段と、
前記電子タグリーダ停止指示手段による電子タグリーダ停止指示の後に前記締め指示手段による１商取引の締め指示があると、前記商品アイテム記憶手段に記憶された商品販売データに基づいて当該１商取引を締め処理するとともに前記商品アイテム記憶手段をクリアし、前記電子タグリーダの読取動作を再開させる締め制御手段と、
を具備したことを特徴とする商品販売データ処理装置。
【請求項２】
買上商品の追加を指示する追加指示手段と、
前記電子タグリーダ停止指示手段による電子タグリーダ停止指示の後に前記追加指示手段による買上商品追加指示があると、前記電子タグリーダの読取動作を再開させる追加制御手段と、
をさらに具備したことを特徴とする請求項１記載の商品販売データ処理装置。
【請求項３】
買上商品の取消を指示する取消指示手段と、
この取消指示手段による買上商品取消指示があると、前記電子タグデータ記憶手段及び商品アイテム記憶手段をクリアし、前記電子タグリーダの読取動作を再開させる取消制御手段と、
をさらに具備したことを特徴とする請求項１または２記載の商品販売データ処理装置。
【発明の詳細な説明】
【技術分野】
【０００１】
本発明は、電子タグに記憶されたデータを非接触で読取る電子タグリーダを有し、この電子タグリーダで電子タグから読取った電子タグデータに基づいて当該電子タグが付された商品の販売データを処理する商品販売データ処理装置に関する。
【背景技術】
【０００２】
近年、流通業界においては、電子タグを利用したチェックアウトシステムの開発が進められている。このシステムは、各商品に電子タグをそれぞれ付し、その電子タグのメモリに、当該電子タグが付されている商品を特定するための商品コードなどの商品データを記憶させる。また、ＰＯＳ（Point Of Sales）端末等の商品販売データ処理装置に電子タグリーダを接続し、この電子タグリーダのアンテナをチェックアウトカウンタの近傍に設ける。かくして、客が買上商品を会計のためにチェックアウトカウンタに載せると、各商品にそれぞれ付されている電子タグのデータが電子タグリーダによって読取られ、商品販売データ処理装置に送られるので、商品販売データ処理装置は、電子タグリーダから受信した電子タグデータに基づいて、当該電子タグが付された商品の販売データを処理するというものである。
【０００３】
この種のチェックアウトシステムに用いられる商品販売データ処理装置において、従来、電子タグデータの二重読取防止機能を備えたものはあった。すなわち、電子タグデータから得られる商品コードとシリアルナンバーとを対にして記憶可能なメモリエリアを有する。そして、電子タグリーダから電子タグデータを受信する毎に、その電子タグデータ中の商品コードとシリアルナンバーが上記メモリエリアに記憶されているか否かをチェックする。ここで、商品コードとシリアルナンバーの両方が上記メモリエリアに記憶されている場合には、既に読取った電子タグのデータであるのでそれを破棄する。これに対し、いずれか一方が異なる場合には、新たな商品に付された電子タグのデータであるので、そのデータ中の商品コードとシリアルナンバーとをメモリエリアに追加する。そして、メモリエリアに追加された商品コードに基づいて商品販売データを処理する。その後、締めキーが操作されて１商取引の登録締めが指示されると、次客との商取引に備えるためにメモリエリアに記憶されたデータをクリアする。ただし、既に決済を終えた前客の商品が誤って次客の買上商品として再登録されることを防止するため、決済を終えた客が所定距離離れるまでメモリエリアのデータが保持されるように制御していた（例えば、特許文献１参照）。
【特許文献１】特許第３３７３８６０号公報
【発明の開示】
【発明が解決しようとする課題】
【０００４】
このように、電子タグデータの二重読取防止機能を備えた従来の商品販売データ処理装置においては、決済を終えた客が所定距離離れるまでメモリエリアのデータを保持するように制御されていた。このため、次の客の会計に即座に入れないという問題があった。
【０００５】
また、商品販売データ処理装置のオペレータは、通常、締めキーを操作する前に合計（小計）キーを操作して、１商取引の合計金額（小計金額）を表示部に表示させている。これにより、客は代金の支払額がわかる。また、店員は代金の請求額がわかる。しかしながら、電子タグを利用したチェックアウトシステムの場合は、合計キー操作後も電子タグリーダによるタグ読取動作は継続して行われていたので、合計キー操作後に新たな電子タグデータが読取られて、電子タグデータに基づく商品販売データの内容と合計キー操作時点の合計金額とが一致しなくなるおそれがあった。
【０００６】
本発明はこのような事情に基づいてなされたもので、その目的とするところは、締め操作前に商取引を確定させること、及び１客の会計終了後は即座に次の客の会計に入ることを可能とし、会計処理の能率向上を図る商品販売データ処理装置を提供しようとするものである。
【課題を解決するための手段】
【０００７】
本発明の商品販売データ処理装置は、電子タグに記憶されたデータを読取る電子タグリーダを有し、この電子タグリーダで電子タグから読取った電子タグデータに基づいて当該電子タグが付された商品の販売データを処理するものであって、複数の電子タグデータを記憶保持可能な電子タグデータ記憶手段、例えば電子タグデータバッファと、複数の商品販売データを記憶保持可能な商品アイテム記憶手段、例えば商品アイテムバッファとを設ける。そして、電子タグリーダで電子タグから読取った電子タグデータと同一のデータが電子タグデータ記憶手段に記憶されているか否かを判断し、同一データが記憶されていない場合には、電子タグから読取った電子タグデータを電子タグデータ記憶手段に追加し、同一データが記憶されている場合には、電子タグから読取った電子タグデータを電子タグデータ記憶手段に追加しないようにする。また、電子タグデータ記憶手段に追加された電子タグデータを基に商品販売データを取得し、商品アイテム記憶手段に追加する。そして、電子タグリーダ停止指示手段による電子タグリーダ停止指示があると、電子タグリーダの読取動作を停止させる。その後、締め指示手段による１商取引の締め指示があると、商品アイテム記憶手段に記憶された商品販売データに基づいて当該１商取引を締め処理するとともに商品アイテム記憶手段をクリアし、電子タグリーダの読取動作を再開させるものである。
【発明の効果】
【０００８】
かかる手段を講じた本発明によれば、締め操作前に商取引を確定させることができる上、１客の会計終了後は即座に次の客の会計に入ることができ、会計処理の能率向上を図り得る商品販売データ処理装置を提供できる。
【発明を実施するための最良の形態】
【０００９】
図１は本発明に係る商品販売データ処理装置の一実施形態を示す模式図である。同図において、符号１はＰＯＳ（Point Of Sales）端末、２は電子タグリーダ、３はタグアンテナ板を示す。タグアンテナ板３には、電子タグリーダ２の一部として、電子タグとの間で電磁界あるいは電波の送受信を行うアンテナ４が取り付けられている。
【００１０】
電子タグリーダ２は、アンテナ４の交信領域内に存在する電子タグと非接触で交信し、当該電子タグのメモリに記憶されている電子タグデータを読取るもので、アンチコリジョン方式という衝突防止機能を有している。この機能により、タグアンテナ板３の上に買い物籠等の収容体５に収容された１商取引分の客買上商品６Ａ，６Ｂ，６Ｃ，…が置かれると、これら商品６Ａ，６Ｂ，６Ｃ，…にそれぞれ付されている電子タグ７Ａ，７Ｂ，７Ｃ，…のデータが電子タグリーダ２によって一括して読取られる。そして、電子タグリーダ２で読取られた電子タグデータは、ＰＯＳ端末１に順次送信される。ＰＯＳ端末１では、電子タグリーダ２で電子タグ７Ａ，７Ｂ，７Ｃ，…から読取った電子タグデータに基づいて、当該電子タグが付された商品６Ａ，６Ｂ，６Ｃ，…の販売データを処理するものとなっている。なお、必ずしも各商品６Ａ，６Ｂ，６Ｃ，…は、収容体５に収容されていなくてもよい。また、電子タグリーダ２は、電子タグへのデータ書込み機能を有した電子タグリーダライタであってもよい。
【００１１】
電子タグ７Ａ，７Ｂ，７Ｃ，…は、無線タグ，ＲＦＩＤ（Radio Frequency Identification），ＩＣタグ等とも称され、既に実用化されているものである。そして、本実施の形態では、商品６Ａ，６Ｂ，６Ｃ，…にそれぞれ付されている電子タグ７Ａ，７Ｂ，７Ｃ，…を商品タグと称する。商品タグのメモリには、例えばタグ製造時に設定されるシリアルナンバー等のタグ固有のＩＤコードと、当該商品タグが付されている商品を特定するための商品コードとが少なくとも格納されている。
【００１２】
図２はＰＯＳ端末１の要部構成を示すブロック図である。このＰＯＳ端末１は、商品販売データ処理装置の一態様であり、制御部本体としてＣＰＵ（Central Processing Unit）１１を搭載している。また、プログラム等の固定的データが予め格納されたＲＯＭ（Read Only Memory）１２、入力データ，演算処理データ等の可変的データを記憶するための種々のメモリエリアが形成されるＲＡＭ（Random Access Memory）１３、現在の日時を計時する時計部１４、オンライン接続されたストアサーバとの間で行うデータ通信を制御する通信コントローラ１５、前記電子タグリーダ２が電気的に接続される電子タグリーダインターフェイス１６、キーボード１７の操作キーに対応したキー信号を取り込むキーボードコントローラ１８、オペレータ用ディスプレイ１９の画面表示を制御する第１の表示コントローラ２０、客用ディスプレイ２１の画面表示を制御する第２の表示コントローラ２２、レシート印字等を行うプリンタ２３の印字動作を制御するプリンタコントローラ２４、現金等を収容するためのドロワ２５と、データ読取音などを発するブザー２６とにそれぞれ駆動信号を出力するＩ／Ｏ（Input/Output）ポート２７等を備えている。そしてＣＰＵ１１と、ＲＯＭ１２，ＲＡＭ１３，時計部１４，通信コントローラ１５，電子タグリーダインターフェイス１６，Ｉ／Ｏポート２７及び各種入出力機器のコントローラ１８，２０，２２，２４とを、アドレスバス，データバス等のバスライン２８で接続している。
【００１３】
キーボード１７には、電子タグリーダの読取動作停止を指示する電子タグリーダ停止指示手段としての合計キー３１と、１商取引の締めを指示する締め指示手段としての締めキー３２と、買上商品の追加を指示する追加指示手段としての追加キー３３と、買上商品の取消を指示する取消指示手段としての取消キー３４とを少なくとも設けている。
【００１４】
ＲＡＭ１３には、複数の商品販売データを記憶保持可能な商品アイテム記憶手段としての商品アイテムバッファ４１と、複数の電子タグデータを記憶保持可能な電子タグデータ記憶手段としての電子タグデータバッファ４２とを少なくとも形成している。
【００１５】
商品アイテムバッファ４１は、図３に示すように、商品コード，商品名，単価，売上点数及び売上金額の各項目からなる商品販売データを複数記憶するためのエリアと、売上点数及び売上金額の合計データを記憶するためのエリアを有している。
【００１６】
電子タグデータバッファ４２は、図４に示すように、一定数Ｎ（Ｎ＞１）のエリア番号に対応して電子タグデータを記憶するためのエリアを有している。この電子タグデータバッファ４２は、エリア番号１のエリアから順に電子タグデータを記憶保持し、エリア番号Ｎのエリアまで電子タグデータが記憶保持されると、それ以後の電子タグデータをエリア番号１のエリアから順に上書きするようになっている。
【００１７】
かかる構成のＰＯＳ端末１は、電源投入によりシステムが立ち上がると、ＣＰＵ１１が図５及び図６の流れ図に示す手順の制御処理を実行する。すなわちＣＰＵ１１は、ＳＴ（ステップ）１として電子タグリーダインターフェイス１６を介して接続された電子タグリーダ２に起動を指令する。これにより、電子タグリーダ２は、電子タグを読取るための読取信号を変調し、この変調電波をアンテナ４から連続して発信する。そして、電子タグからの応答電波をアンテナ４で受信するのを待機している。応答電波を受信すると、その電波を復調し、応答データつまりは電子タグのメモリに記憶されている電子タグデータをＰＯＳ端末１に送信する。
【００１８】
そこでＣＰＵ１１は、ＳＴ２として電子タグデータの受信を待機する。電子タグリーダ２から電子タグデータを受信すると（ＳＴ２のＹＥＳ）、ＣＰＵ１１は、ＳＴ３として電子タグデータバッファ４２を検索する。そして、受信した電子タグデータと同一のデータが電子タグデータバッファ４２に記憶されているか否かを判断する（データ有無判断手段）。この判断処理は、受信した電子タグデータに含まれるタグ固有のＩＤコードで電子タグデータバッファ４２を検索し、同一のＩＤコードを含む電子タグデータの有無を判断するものであり、記憶されている場合には同一データ有りと判断し、記憶されていない場合には同一データ無しと判断する。その結果、同一データ有りと判断した場合には（ＳＴ４のＹＥＳ）、ＳＴ５として受信した電子タグデータを電子タグデータバッファ４２に追加せず、破棄する。しかる後、ＳＴ２の処理に戻り、次の電子タグデータの受信を待機する。これに対し、同一データ無しと判断した場合には（ＳＴ４のＮＯ）、ＣＰＵ１１は、ＳＴ６として受信した電子タグデータを電子タグデータバッファ４２に追加する（電子タグデータ処理手段）。
【００１９】
次に、ＣＰＵ１１は、ＳＴ７として電子タグデータバッファ４２に追加された電子タグデータが、各商品にそれぞれ付されている商品タグのデータか否かを判断する。ここで、商品タグから読取った電子タグデータでない場合には、ＳＴ２の処理に戻り、次の電子タグデータの受信を待機する。
【００２０】
一方、受信した電子タグデータが商品タグから読取った電子タグデータ、つまりＩＤコードとともに商品コードを含むデータであった場合には、ＣＰＵ１１は、ＳＴ８としてその電子タグデータに含まれる商品コードに基づいて商品名，単価等の商品データを取得する。すなわちＰＯＳ端末１は、各商品の商品コードに対応して商品名，単価等の商品データがプリセットされた商品データファイルを備えており、ＣＰＵ１１は、電子タグデータから取得した商品コードで商品データファイルを検索して、当該商品コードに対応して設定されている商品名及び単価の商品データを取得する。なお、商品タグのメモリに商品コードと共に商品名，単価等の商品データも記憶するようにして、商品データファイルを省略することも可能である。
【００２１】
ＣＰＵ１１は、商品コード，商品名，単価等の商品データを取得すると、次に、ＳＴ９として売上点数を“１”とし、売上金額を単価として、商品コード，商品名，単価，売上点数及び売上金額からなる商品販売データを生成する。そして、この商品販売データを商品アイテムバッファ４１に追加する（商品販売データ追加手段）。また、商品アイテムバッファ４１に記憶された各商品販売データの売上点数及び売上金額をそれぞれ加算し、合計点数及び合計金額（小計額）を算出して、商品アイテムバッファ４１の合計エリアを更新する。そして、ＳＴ１０としてオペレータ用ディスプレイ１９及び客用ディスプレイ２１に商品名，単価等を表示させる。また、ＳＴ１１としてブザー２６に駆動信号を送出して、商品読取確定音を鳴動させる。
【００２２】
その後、ＣＰＵ１１は、ＳＴ１２として合計キー３１が操作入力されたか否かを判断する。合計キー３１が操作入力されていない場合には、ＳＴ２の処理に戻り、次の電子タグデータの受信を待機する。
【００２３】
合計キー３１が操作入力された場合には、ＣＰＵ１１は、ＳＴ１３として電子タグリーダ２に起動停止を指令する（電子タグリーダ制御手段）。これにより、電子タグリーダ２は、読取電波の発信を停止する。また、ＣＰＵ１１は、ＳＴ１４として商品アイテムバッファ４１に記憶されている合計金額のデータをオペレータ用ディスプレイ１９及び客用ディスプレイ２１に表示させる。その後、ＣＰＵ１１は、ＳＴ１５として取消キー３４が操作入力されるか、ＳＴ１６として追加キー３３が操作入力されるか、ＳＴ１７として締めキー３２が操作入力されるのを待機する。
【００２４】
ここで、締めキー３２が操作入力されたことを確認した場合には（ＳＴ１７のＹＥＳ）、ＣＰＵ１１は、ＳＴ１８として商品アイテムバッファ４１に記憶された商品販売データに基づいて１商取引を決済させる締め処理を行う。この締め処理は、商取引の合計金額に対して代金が支払われると、釣銭額を算出し、オペレータ用ディスプレイ１９，客用ディスプレイ２１に表示させるとともに、ドロワ２５を開放動作させる処理を含む。また、プリンタ２３を駆動して、商品アイテムバッファ４１に記憶された商品名，売上点数，売上金額や合計点数，合計金額等の商取引明細データが印字されたレシートを発行する処理を含む。かかる締め処理が終了すると、ＣＰＵ１１は、ＳＴ１９として商品アイテムバッファ４１をクリアする。このとき、電子タグデータバッファ４２はクリアしない。また、ＳＴ２０として電子タグリーダ２に再起動を指令する（締め制御手段）。
【００２５】
これにより、電子タグリーダ２から読取電波が再度発信されるので、ＣＰＵ１１は、ＳＴ２の処理に戻り、電子タグデータの受信を待機する。
【００２６】
取消キー３４が操作入力されたことを確認した場合には（ＳＴ１５のＹＥＳ）、ＣＰＵ１１は、ＳＴ２１として電子タグデータバッファ４２及び商品アイテムバッファ４１を共にクリアする。また、電子タグリーダ２に再起動を指令する（取消制御手段）。
【００２７】
これにより、電子タグリーダ２から読取電波が再度発信されるので、ＣＰＵ１１は、ＳＴ２の処理に戻り、電子タグデータの受信を待機する。
【００２８】
追加キー３３が操作入力されたことを確認した場合には（ＳＴ１６のＹＥＳ）、ＣＰＵ１１は、電子タグデータバッファ４２及び商品アイテムバッファ４１をクリアすることなく、電子タグリーダ２に再起動を指令する（追加制御手段）。
【００２９】
これにより、電子タグリーダ２から読取電波が再度発信されるので、ＣＰＵ１１は、ＳＴ２の処理に戻り、電子タグデータの受信を待機する。
【００３０】
このように本実施の形態においては、ＰＯＳ端末１の電源投入により、電子タグリーダ２のアンテナ４からは、電子タグを読取るための読取電波が発信される。ここで、アンテナ４の交信領域内に電子タグが入ると、この電子タグのメモリに記憶されている電子タグデータが電子タグリーダ２によって非接触で読取られ、ＰＯＳ端末１に送信される。
【００３１】
今、客が商品６Ａ，商品６Ｂ，商品６Ｃの３品目を購入するために、ＰＯＳ端末１が設置された会計場所に来たとする。この場合、会計担当の店員いわゆるキャッシャは、各商品６Ａ，６Ｂ，６Ｃをタグアンテナ板３の上に載置する。そうすると、各商品６Ａ，６Ｂ，６Ｃにそれぞれ付されている電子タグ７Ａ，７Ｂ，７Ｃは、アンテナ４からの読取電波に応答して、それぞれＩＤコードと商品コードとを含む電子タグデータの応答電波を発信する。
【００３２】
例えば、商品６Ａに付された電子タグ７Ａからの応答電波をアンテナ４で受信すると、この電子タグ７Ａに記憶されているＩＤコードと商品コードを含む電子タグデータが電子タグリーダで読取られ、ＰＯＳ端末１に送り込まれる。これにより、ＰＯＳ端末１においては、当該電子タグデータ中のＩＤコードを含む電子タグデータが電子タグデータバッファ４２に記憶されているか否かが判断される。そして、記憶されていない場合には、当該電子タグデータが電子タグデータバッファ４２に追加される。また、この電子タグデータ中の商品コードに基づいて当該商品Ａの商品名，単価が取得され、商品販売データが生成される。そして、この商品販売データが商品アイテムバッファ４１に格納される。なお、商品アイテムバッファ４１は、直前の客の締め処理後にクリアされている。
【００３３】
次に、商品６Ｂに付された電子タグ７Ｂからの応答電波をアンテナ４で受信すると、この電子タグ７Ｂに記憶されているＩＤコードと商品コードを含む電子タグデータが電子タグリーダで読取られ、ＰＯＳ端末１に送り込まれる。これにより、ＰＯＳ端末１においては、当該電子タグデータ中のＩＤコードを含む電子タグデータが電子タグデータバッファ４２に記憶されているか否かが判断される。そして、記憶されていない場合には、当該電子タグデータが電子タグデータバッファ４２に追加される。また、この電子タグデータ中の商品コードに基づいて当該商品Ｂの商品名，単価が取得され、商品販売データが生成される。そして、この商品販売データが商品アイテムバッファ４１に格納される。  
商品６Ｃに付された電子タグ７Ｃからの応答電波をアンテナ４で受信した場合も同様である。
【００３４】
その後、キャッシャが合計キー３１を操作入力すると、商品アイテムバッファ４１に格納された商品販売データの合計金額がオペレータ用ディスプレイ１９及び客用ディスプレイ２１に表示される。これにより、客は支払うべき金額を認識する。キャッシャは、客に請求する金額を認識する。また、このとき、電子タグリーダ２のアンテナ４から発信されていた読取電波が停止される。したがって、アンテナ４の交信領域内に新たな商品，例えば次の客が買上げる商品が置かれても、その商品に付された電子タグのデータが読取られることはない。すなわち、現在の客との商取引が確定される。
【００３５】
その後、客が代金を支払い、キャッシャが締めキー３２を操作入力すると、当該商取引の締め処理が行われる。そして締め処理後、商品アイテムバッファ４１がクリアされる。また、電子タグリーダ２のアンテナ４から読取電波が再び発信される。これにより、次の客の会計処理が可能となる。
【００３６】
一方、電子タグデータバッファ４２はクリアされず、決済を終えた客が買上げた商品６Ａ，６Ｂ，６Ｃにそれぞれ付された電子タグ７Ａ，７Ｂ，７Ｃの電子タグデータは、電子タグデータバッファ４２で記憶保持される。このため、決済を終えた客の買上商品が電子タグリーダ２の近くにあっても、この決済を終えた客の買上商品が再登録されることはない。したがって、次の客の会計処理をスムーズに実行することができる。
【００３７】
ところで、合計キー３１の操作後に客から購入する商品の追加を受けた場合には、キャッシャは、その追加する商品をタグアンテナ板３の上に載せると共に追加キー３３を操作入力する。そうすると、電子タグリーダ２のアンテナ４から読取電波が再び発信される。このとき、電子タグデータバッファ４２及び商品アイテムバッファ４１はクリアされない。したがって、タグアンテナ板３の上に載せられた追加商品に付された電子タグデータのみが電子タグデータバッファ４２に追加される。また、この電子タグデータに基づいて当該商品の商品名，単価が取得され、商品販売データが生成される。そして、この商品販売データが商品アイテムバッファ４１に格納される。その後、キャッシャが合計キー３１を操作入力すると、追加された商品を含む合計金額がオペレータ用ディスプレイ１９及び客用ディスプレイ２１に表示される。
【００３８】
このように、合計キー３１の操作により商取引確定後に買上商品の追加があった場合でも、本実施の形態によれば、その追加される商品をタグアンテナ板３の上に載せ、追加キー３３を操作するだけの簡単に操作で対応することができる。
【００３９】
また、合計キー３１の操作後に客から購入商品の一部を返品するとの申し出を受けた場合には、キャッシャは、その返品された商品をタグアンテナ板３から取り除いた後、取消キー３４を操作入力する。そうすると、電子タグデータバッファ４２及び商品アイテムバッファ４１がクリアされると共に、電子タグリーダ２のアンテナ４から読取電波が再び発信される。したがって、タグアンテナ板３の上に残った商品、つまりは当該客が買上げる商品に付された電子タグの電子タグデータが再度電子タグデータバッファ４２に格納される。また、各電子タグデータに基づきそれぞれ生成される商品販売データも商品アイテムバッファ４１に再び格納される。
【００４０】
その後、キャッシャが合計キー３１を操作入力すると、商品アイテムバッファ４１に格納された商品販売データの合計金額がオペレータ用ディスプレイ１９及び客用ディスプレイ２１に表示される。すなわち、返品された商品を除いた買上商品の合計金額が表示される。
【００４１】
また、合計キー３１の操作後に客から購入商品の全部を返品するとの申し出を受けた場合には、キャッシャは、タグアンテナ板３の商品を全て取り除いた後、取消キー３４を操作入力する。そうすると、電子タグデータバッファ４２及び商品アイテムバッファ４１がクリアされると共に、電子タグリーダ２のアンテナ４から読取電波が再び発信される。したがって、次の客の会計処理をスムーズに実行することができる。
【００４２】
このように、合計キー３１の操作により商取引確定後に買上商品の返品があった場合でも、本実施の形態によれば、その返品される商品をタグアンテナ板３から取り除き、取消キー３４を操作するだけの簡単に操作で対応することができる。
【００４３】
なお、この発明は前記実施形態そのままに限定されるものではなく、実施段階ではその要旨を逸脱しない範囲で構成要素を変形して具体化できる。
【００４４】
例えば前記実施の形態では、受信した電子タグデータと同一のデータが電子タグデータバッファ４２に記憶されているか否かを判断する処理として、受信した電子タグデータに含まれるタグ固有のＩＤコードで電子タグデータバッファ４２を検索し、同一のＩＤコードを含む電子タグデータの有無を判断するものとしたが、電子タグリーダ２で読取られる電子タグが商品タグに限定される運用である場合においては、受信した電子タグデータに含まれるＩＤコードと商品コードで電子タグデータバッファ４２を検索し、同一のＩＤコード及び商品コードを含む電子タグデータの有無を判断するものとしてもよい。
【００４５】
また、前記実施の形態では、電子タグリーダ停止指示手段を合計キー３１としたが、電子タグリーダ停止指示手段は合計キー３１に限定されるものではなく、例えば締めキー３２の操作前に客層キーを操作して買物客の客層を入力するタイプのＰＯＳ端末の場合は、客層キーを電子タグリーダ停止指示手段とすればよい。また、キー以外の操作入力手段を用いてもよい。
【００４６】
同様に、前記実施の形態では、締め指示手段，追加指示手段及び取消指示手段をそれぞれ締めキー３２，追加キー３３及び取消キー３４としたが、キー以外の操作入力手段を用いてもよいのは言うまでもないことである。
【００４７】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００４８】
【図１】本発明の一実施の形態を示すシステム構成図。
【図２】同実施の形態におけるＰＯＳ端末の要部構成を示すブロック図。
【図３】同ＰＯＳ端末のＲＡＭに形成される商品アイテムバッファのエリア構造を示す模式図。
【図４】同ＰＯＳ端末のＲＡＭに形成される電子タグデータバッファのエリア構造を示す模式図。
【図５】同ＰＯＳ端末のＣＰＵが実行する制御処理の要部手順を示す流れ図。
【図６】同ＰＯＳ端末のＣＰＵが実行する制御処理の要部手順を示す流れ図。
【符号の説明】
【００４９】
１…ＰＯＳ端末、２…電子タグリーダ、３…タグアンテナ板、４…アンテナ、６Ａ，６Ｂ，６Ｃ…商品、７Ａ，７Ｂ，７Ｃ…電子タグ、１１…ＣＰＵ、３１…合計キー、３２…締めキー、３３…追加キー、３４…取消キー、４１…商品アイテムバッファ、４２…電子タグデータバッファ。
【図１】
2007233583.tif 000003
【図２】
2007233583.tif 000004
【図３】
2007233583.tif 000005
【図４】
2007233583.tif 000006
【図５】
2007233583.tif 000007
【図６】
2007233583.tif 000008